(57)【要約】【課題】コンテクスト情報を活用したサービス内容の適応を、ユーザが使用するデバイスやネットワークをまたいで実現できるようにする。【解決手段】ユーザＰＣ端末１０２からの閲覧要求に基づいてＷＷＷコンテンツを提供するとともに、当該閲覧履歴を表すコンテクスト情報を該端末１０２に蓄積させるＷＷＷサーバ１０１と、ユーザＰＣ端末１０２からのアクセス時に前記蓄積されたコンテクスト情報を取得し、該情報と、回線認証サーバ１０４から取得したユーザ側端末の回線ＩＤとを対にしたコンテクスト情報一覧を管理するコンテクスト情報収集サーバ１０３と、広告主１００から提供されたＣＭコンテンツのメタデータ、前記回線ＩＤおよびコンテクスト情報一覧に基づいて、各回線ＩＤに属するデバイスに提供するＣＭコンテンツを決定するコンテクスト情報活用サーバ１０６とを備える。【選択図】図１
2009266078.tif 000002
【特許請求の範囲】
【請求項１】
所定のネットワーク回線により接続された、ＷＷＷサーバ装置、第１の回線認証サーバ装置、コンテクスト情報収集サーバ装置およびコンテクスト情報活用サーバ装置を備えたコンテクスト情報収集活用システムであって、
前記ＷＷＷサーバ装置は、サービス提供者から提供されたサービスに関するメタデータに基づいて、前記メタデータに該当するＷＷＷコンテンツを、該ＷＷＷサーバ装置が管理しているＷＷＷコンテンツの中から選択し、ユーザ側の端末装置からの利用要求に基づいて、前記選択されたＷＷＷコンテンツをユーザ側端末装置に提供するとともに、当該利用履歴を表すコンテクスト情報を該端末装置に蓄積させるＷＷＷサーバであり、
前記第１の回線認証サーバ装置は、ユーザ側端末装置の論理アドレスと、該ユーザ側端末装置が収容されている物理的な加入者回線に対する一意な識別子である回線ＩＤとを関連付けた第１の回線ＩＤデータベースを有し、前記ユーザ側端末装置から論理アドレスを取得し、前記第１の回線ＩＤデータベースを参照して前記取得したユーザ端末論理アドレスに相当する回線ＩＤを検索する回線認証サーバであり、
前記コンテクスト情報収集サーバ装置は、前記ユーザ側端末装置からアクセスを受けたときに、該ユーザ側端末装置に蓄積されたコンテクスト情報を取得し、前記回線認証サーバ装置から前記ユーザ側端末装置の回線ＩＤを取得し、それら取得したコンテクスト情報とそれに対応する回線ＩＤを対にしたコンテクスト情報一覧を管理するコンテクスト情報収集サーバであり、
前記コンテクスト情報活用サーバ装置は、サービス提供者から提供されたサービスに関するメタデータ、前記回線認証サーバ装置から取得した回線ＩＤ、前記コンテクスト情報収集サーバ装置から提供されたコンテクスト情報一覧に基づいて、各回線ＩＤに属するデバイスに提供するサービスを、所定の判断処理によって決定するコンテクスト情報活用サーバである
ことを特徴とするコンテクスト情報収集活用システム。
【請求項２】
ユーザ側端末装置が収容されている物理的な加入者回線に対する一意な識別子であって、前記コンテクスト情報活用サーバ装置が管理するネットワークとは異なるネットワークの回線ＩＤを、前記サーバ装置が管理するネットワークの回線ＩＤに変換するＩＤ変換サーバ装置と、
前記コンテクスト情報活用サーバ装置が管理するネットワークとは異なるネットワークに収容されたユーザ側端末装置の論理アドレスと、前記サーバ装置が管理するネットワークとは異なるネットワークの回線ＩＤとを関連付けた第２の回線ＩＤデータベースを有し、前記ユーザ側端末装置から論理アドレスを取得し、前記第２の回線ＩＤデータベースを参照して前記取得したユーザ端末論理アドレスに相当する回線ＩＤを検索する第２の回線認証サーバ装置とをさらに備え、
前記コンテクスト情報収集サーバ装置は、前記取得した回線ＩＤが、前記コンテクスト情報活用サーバ装置が管理するネットワークとは異なるネットワークの回線ＩＤである場合には、該回線ＩＤを、前記ＩＤ変換サーバ装置によって、前記コンテクスト情報活用サーバ装置が管理するネットワークの回線ＩＤに変換した回線ＩＤを取得し、
前記コンテクスト情報活用サーバ装置は、前記取得した回線ＩＤが、当該コンテクスト情報活用サーバ装置が管理するネットワークとは異なるネットワークの回線ＩＤである場合には、該回線ＩＤを、前記ＩＤ変換サーバ装置によって、当該コンテクスト情報活用サーバ装置が管理するネットワークの回線ＩＤに変換した回線ＩＤを取得する
ことを特徴とする請求項１に記載のコンテクスト情報収集活用システム。
【請求項３】
前記コンテクスト情報活用サーバ装置における所定の判断処理は、前記サービスに関するメタデータと前記コンテクスト情報一覧との関連度で決まる、回線ＩＤとサービスの関連性の高いサービスを選択する処理であることを特徴とする請求項１又は２に記載のコンテクスト情報収集活用システム。
【請求項４】
前記ＷＷＷサーバ装置は、無線によりアクセスを行うユーザ側端末装置の無線の回線ＩＤと有線によりアクセスを行うユーザ側端末装置の有線の回線ＩＤとを関連付けて記録する手段を有していることを特徴とする請求項１ないし３のいずれか１項に記載のコンテクスト情報収集活用システム。
【請求項５】
所定のネットワーク回線により接続された、ＷＷＷサーバ装置、第１の回線認証サーバ装置、コンテクスト情報収集サーバ装置およびコンテクスト情報活用サーバ装置を備えたシステムにおけるコンテクスト情報収集活用方法であって、
前記ＷＷＷサーバ装置が、サービス提供者から提供されたサービスに関するメタデータに基づいて、前記メタデータに該当するＷＷＷコンテンツを、該ＷＷＷサーバ装置が管理しているＷＷＷコンテンツの中から選択するステップと、
前記ＷＷＷサーバ装置が、ユーザ側の端末装置からの利用要求に基づいて、前記選択されたＷＷＷコンテンツをユーザ側端末装置に提供するとともに、当該利用履歴を表すコンテクスト情報を該端末装置に蓄積させるステップと、
前記コンテクスト情報収集サーバ装置が、前記ユーザ側端末装置からアクセスを受けたときに、該ユーザ側端末装置に蓄積されたコンテクスト情報を取得するステップと、
前記第１の回線認証サーバ装置が、前記ユーザ側端末装置から論理アドレスを取得し、ユーザ側端末装置の論理アドレスと、該ユーザ側端末装置が収容されている物理的な加入者回線に対する一意な識別子である回線ＩＤとを関連付けた第１の回線ＩＤデータベースを参照して、前記取得したユーザ端末論理アドレスに相当する回線ＩＤを検索する第１の検索ステップと、
前記コンテクスト情報収集サーバ装置が、前記第１の回線認証サーバ装置から前記ユーザ側端末装置の回線ＩＤを取得するステップと、
前記コンテクスト情報収集サーバ装置が、前記取得したコンテクスト情報とそれに対応する回線ＩＤを対にしたコンテクスト情報一覧を前記コンテクスト情報活用サーバ装置に提供するステップと、
前記コンテクスト情報活用サーバ装置が、サービス提供者から提供されたサービスに関するメタデータ、前記第１の回線認証サーバ装置から取得した回線ＩＤ、前記コンテクスト情報収集サーバ装置から提供されたコンテクスト情報一覧に基づいて、各回線ＩＤに属するデバイスに提供するサービスを、所定の判断処理によって決定するステップと、
前記コンテクスト情報活用サーバ装置が、ユーザ側端末装置からサービスの利用要求がなされたときに、前記決定されたサービスを利用するためのデータを前記ユーザ側端末装置に提供するステップと
を備えたことを特徴とするコンテクスト情報収集活用方法。
【請求項６】
前記システムは、前記ネットワーク回線とは異なるネットワーク回線に接続されたＩＤ変換サーバ装置および第２の回線認証サーバ装置を備え、
前記第２の回線認証サーバ装置が、前記ユーザ側端末装置から論理アドレスを取得し、ユーザ側端末装置の論理アドレスと、該ユーザ側端末装置が収容されている物理的な加入者回線に対する一意な識別子である回線ＩＤとを関連付けた第２の回線ＩＤデータベースを参照して、前記取得したユーザ端末論理アドレスに相当する回線ＩＤを検索する第２の検索ステップと、
前記コンテクスト情報収集サーバ装置が、前記第２の回線認証サーバ装置から前記ユーザ側端末装置の回線ＩＤを取得するステップと、
前記ＩＤ変換サーバ装置が、前記コンテクスト情報収集サーバ装置に取得された、前記第２の回線認証サーバ装置からの回線ＩＤを、前記コンテクスト情報活用サーバ装置が管理するネットワークの回線ＩＤに変換する第１の変換ステップと、
前記ＩＤ変換サーバ装置が、前記コンテクスト情報活用サーバ装置に取得された、前記第２の回線認証サーバ装置からの回線ＩＤを、前記コンテクスト情報活用サーバ装置が管理するネットワークの回線ＩＤに変換する第２の変換ステップと
を備えたことを特徴とする請求項５に記載のコンテクスト情報収集活用方法。
【請求項７】
前記所定の判断処理によって決定するステップは、前記サービスに関するメタデータと前記コンテクスト情報一覧との関連度で決まる、回線ＩＤとサービスの関連性の高いサービスを選択する処理を行うことを特徴とする請求項５又は６に記載のコンテクスト情報収集活用方法。
【請求項８】
前記ＷＷＷサーバ装置が、無線によりアクセスを行うユーザ側端末装置の無線の回線ＩＤと有線によりアクセスを行うユーザ側端末装置の有線の回線ＩＤとを関連付けて記録手段に記録するステップを有していることを特徴とする請求項５ないし７のいずれか１項に記載のコンテクスト情報収集活用方法。
【発明の詳細な説明】
【技術分野】
【０００１】
本発明は、Ｗｏｒｌｄ  Ｗｉｄｅ  Ｗｅｂ（以下、ＷＷＷと称する）サイト閲覧などネットワークサービスを利用した際のサービス利用履歴などのコンテクスト情報を収集し、その情報に基づき、同一のユーザがそれ以降にサービスを利用した際のサービス提供方法を適応的に変化させるコンテクスト情報収集活用システムおよびコンテクスト情報収集活用方法に関する。
【背景技術】
【０００２】
従来より、Ｇｏｏｇｌｅに代表される検索連動型広告や、アマゾン、楽天などの電子商取引（ＥＣ：Ｅｌｅｃｔｒｏｎｉｃ  Ｃｏｍｍｅｒｃｅ）サイトにおける購入履歴に基づく商品推薦など、同一のサービスやインターネット上の連携サービス間でコンテクスト情報を収集し活用する方法は存在した。
【０００３】
例えば、検索連動型広告は非特許文献１に記載され、ユーザの興味テーマを行動履歴から判断する「行動ターゲティング広告」は非特許文献２，３に記載されている。
【非特許文献１】「検索連動広告の仕組みは？」、２００８年２月１日検索、インターネットＵＲＬ＜ｈｔｔｐ：／／ｔｒｅｎｄｙ．ｎｉｋｋｅｉｂｐ．ｃｏ．ｊｐ／ａｒｔｉｃｌｅ／ｑａ／ｉｎｔｅｒｎｅｔ／２００５０３２４／１１１８０８／＞
【非特許文献２】「ユーザの興味テーマを行動履歴から判断する「行動ターゲティング広告」」、２００８年２月１日検索、インターネットＵＲＬ＜ｈｔｔｐ：／／ｗｅｂ−ｔａｎ．ｆｏｒｕｍ．ｉｍｐｒｅｓｓｒｄ．ｊｐ／ｅ／２００７／０７／０３／９６４＞
【非特許文献３】「ａｕに行動ターゲティング広告  モバイルで国内初」、２００８年２月１日検索、インターネットＵＲＬ＜ｈｔｔｐ：／／ｗｗｗ．ｉｔｍｅｄｉａ．ｃｏ．ｊｐ／ｎｅｗｓ／ａｒｔｉｃｌｅｓ／０７０９／０３／ｎｅｗｓ１１２．ｈｔｍｌ＞
【発明の開示】
【発明が解決しようとする課題】
【０００４】
従来の方法は、ユーザの識別に主にユーザＩＤ・パスワードによるログインを利用しており、また、ログイン状態の保持にＷＷＷブラウザに保存されたＣｏｏｋｉｅ（コンテクスト情報）や、ユーザのパソコン等のデバイスのＩＰアドレスなどが用いられている。
【０００５】
この方法では、たとえばパソコン、ＩＰＴＶ、ゲーム機など、異なる種類のデバイスの間で、コンテクスト情報を収集し活用することは困難である。ユーザＩＤにより識別するためには、使用する各デバイスでログインを行なう必要がある。これでは、文字入力インタフェースが貧弱なＩＰＴＶなどのデバイスに使用することが難しい。
【０００６】
一方で、ＩＰアドレスが同一であることを確認することによって、複数のデバイスが同一のユーザ宅に存在することを識別することも考えられる。しかし、この方法では、パソコンとＩＰＴＶが異なるネットワークに接続する場合（インターネットと閉域網など）や、同じインターネット同士でもＩＳＰ（Ｉｎｔｅｒｎｅｔ  Ｓｅｒｖｉｃｅ  Ｐｒｏｖｉｄｅｒ）から割当てられるＩＰアドレスが変わった時には対応できない。
【０００７】
本発明は上記課題を解決するものであり、その目的は、コンテクスト情報を活用したサービス内容の適応を、ユーザが使用するデバイスやネットワークをまたいで実現することができるコンテクスト情報収集活用システムおよびコンテクスト情報収集活用方法を提供することにある。
【課題を解決するための手段】
【０００８】
上記課題を解決するために本発明では、回線ＩＤにより、異なるデバイスを同一加入者宅に存在すると認識し、コンテクスト情報を共有するように構成した。すなわち、サービスを提供するアプリケーションサーバと、ユーザが使用するデバイスが通信し、サービスを実施した際に、サービス提供履歴などのコンテクスト情報を生成する。
【０００９】
コンテクスト情報収集サーバ装置は、このコンテクスト情報をアプリケーションサーバまたはデバイスから収集する。また、その際、コンテクスト情報収集サーバ装置は、ユーザ側デバイスが通信に使用した物理的な加入者回線に対して一意な識別子「回線ＩＤ」を回線認証サーバ装置から直接またはデバイス経由で取得し、回線ＩＤをコンテクスト情報と対応付けて管理する。
【００１０】
このとき、もし取得した回線ＩＤが他事業者の網など、コンテクスト情報収集サーバ装置が主に管理している網（自網）とは別の網に関するものであった場合、ＩＤ変換サーバ装置へ当該の他網の回線ＩＤを問い合わせ、同一のユーザが契約している自網の回線ＩＤへと変換する。
【００１１】
コンテクスト情報活用サーバ装置は、コンテクスト情報収集サーバ装置が管理するコンテクスト情報を取得し、上記とは別のまたは同一のアプリケーションサーバが、特定の回線ＩＤを有する加入者回線に属するデバイスへサービスを提供する際のサービス内容の全部または一部を、回線ＩＤに紐付けられたコンテクスト情報を所与のルールに適用して決定する。
【００１２】
その後、当該のデバイスへ当該のアプリケーションサーバがサービスを提供する際に、コンテクスト情報活用サーバ装置は、当該デバイスの回線ＩＤを回線認証サーバ装置より取得し、前記のとおり決定されたサービス内容に基づいてデバイスを適切なアプリケーションサーバへ振り分ける、または、アプリケーションサーバへサービス内容の指示を送ることによって、コンテクスト情報を活用したサービス内容の適応をデバイスやネットワークをまたいで実現する。
【００１３】
このとき、コンテクスト情報活用サーバ装置へ接続してきたデバイスの回線ＩＤがもし他事業者の網など、コンテクスト情報活用サーバ装置が主に管理している網（自網）とは別の網に関するものであった場合、ＩＤ変換サーバ装置へ当該の他網の回線ＩＤを問い合わせ、同一のユーザが契約している自網の回線ＩＤへと変換した上でそれ以降の処理を行なう。
【００１４】
本発明の請求項１に記載のコンテクスト情報収集活用システムは、所定のネットワーク回線により接続された、ＷＷＷサーバ装置、第１の回線認証サーバ装置、コンテクスト情報収集サーバ装置およびコンテクスト情報活用サーバ装置を備えたコンテクスト情報収集活用システムであって、前記ＷＷＷサーバ装置は、サービス提供者から提供されたサービスに関するメタデータに基づいて、前記メタデータに該当するＷＷＷコンテンツを、該ＷＷＷサーバ装置が管理しているＷＷＷコンテンツの中から選択し、ユーザ側の端末装置からの利用要求に基づいて、前記選択されたＷＷＷコンテンツをユーザ側端末装置に提供するとともに、当該利用履歴を表すコンテクスト情報を該端末装置に蓄積させるＷＷＷサーバであり、前記第１の回線認証サーバ装置は、ユーザ側端末装置の論理アドレスと、該ユーザ側端末装置が収容されている物理的な加入者回線に対する一意な識別子である回線ＩＤとを関連付けた第１の回線ＩＤデータベースを有し、前記ユーザ側端末装置から論理アドレスを取得し、前記第１の回線ＩＤデータベースを参照して前記取得したユーザ端末論理アドレスに相当する回線ＩＤを検索する回線認証サーバであり、前記コンテクスト情報収集サーバ装置は、前記ユーザ側端末装置からアクセスを受けたときに、該ユーザ側端末装置に蓄積されたコンテクスト情報を取得し、前記回線認証サーバ装置から前記ユーザ側端末装置の回線ＩＤを取得し、それら取得したコンテクスト情報とそれに対応する回線ＩＤを対にしたコンテクスト情報一覧を管理するコンテクスト情報収集サーバであり、前記コンテクスト情報活用サーバ装置は、サービス提供者から提供されたサービスに関するメタデータ、前記回線認証サーバ装置から取得した回線ＩＤ、前記コンテクスト情報収集サーバ装置から提供されたコンテクスト情報一覧に基づいて、各回線ＩＤに属するデバイスに提供するサービスを、所定の判断処理によって決定するコンテクスト情報活用サーバであることを特徴としている。
【００１５】
また請求項２に記載のコンテクスト情報収集活用システムは、請求項１において、ユーザ側端末装置が収容されている物理的な加入者回線に対する一意な識別子であって、前記コンテクスト情報活用サーバ装置が管理するネットワークとは異なるネットワークの回線ＩＤを、前記サーバ装置が管理するネットワークの回線ＩＤに変換するＩＤ変換サーバ装置と、前記コンテクスト情報活用サーバ装置が管理するネットワークとは異なるネットワークに収容されたユーザ側端末装置の論理アドレスと、前記サーバ装置が管理するネットワークとは異なるネットワークの回線ＩＤとを関連付けた第２の回線ＩＤデータベースを有し、前記ユーザ側端末装置から論理アドレスを取得し、前記第２の回線ＩＤデータベースを参照して前記取得したユーザ端末論理アドレスに相当する回線ＩＤを検索する第２の回線認証サーバ装置とをさらに備え、前記コンテクスト情報収集サーバ装置は、前記取得した回線ＩＤが、前記コンテクスト情報活用サーバ装置が管理するネットワークとは異なるネットワークの回線ＩＤである場合には、該回線ＩＤを、前記ＩＤ変換サーバ装置によって、前記コンテクスト情報活用サーバ装置が管理するネットワークの回線ＩＤに変換した回線ＩＤを取得し、前記コンテクスト情報活用サーバ装置は、前記取得した回線ＩＤが、当該コンテクスト情報活用サーバ装置が管理するネットワークとは異なるネットワークの回線ＩＤである場合には、該回線ＩＤを、前記ＩＤ変換サーバ装置によって、当該コンテクスト情報活用サーバ装置が管理するネットワークの回線ＩＤに変換した回線ＩＤを取得することを特徴としている。
【００１６】
また請求項３に記載のコンテクスト情報収集活用システムは、請求項１又は２において、前記コンテクスト情報活用サーバ装置における所定の判断処理は、前記サービスに関するメタデータと前記コンテクスト情報一覧との関連度で決まる、回線ＩＤとサービスの関連性の高いサービスを選択する処理であることを特徴としている。
【００１７】
また請求項４に記載のコンテクスト情報収集活用システムは、請求項１ないし３のいずれか１項において、前記ＷＷＷサーバ装置は、無線によりアクセスを行うユーザ側端末装置の無線の回線ＩＤと有線によりアクセスを行うユーザ側端末装置の有線の回線ＩＤとを関連付けて記録する手段を有していることを特徴としている。
【００１８】
また、請求項５に記載のコンテクスト情報収集活用方法は、所定のネットワーク回線により接続された、ＷＷＷサーバ装置、第１の回線認証サーバ装置、コンテクスト情報収集サーバ装置およびコンテクスト情報活用サーバ装置を備えたシステムにおけるコンテクスト情報収集活用方法であって、前記ＷＷＷサーバ装置が、サービス提供者から提供されたサービスに関するメタデータに基づいて、前記メタデータに該当するＷＷＷコンテンツを、該ＷＷＷサーバ装置が管理しているＷＷＷコンテンツの中から選択するステップと、前記ＷＷＷサーバ装置が、ユーザ側の端末装置からの利用要求に基づいて、前記選択されたＷＷＷコンテンツをユーザ側端末装置に提供するとともに、当該利用履歴を表すコンテクスト情報を該端末装置に蓄積させるステップと、前記コンテクスト情報収集サーバ装置が、前記ユーザ側端末装置からアクセスを受けたときに、該ユーザ側端末装置に蓄積されたコンテクスト情報を取得するステップと、前記第１の回線認証サーバ装置が、前記ユーザ側端末装置から論理アドレスを取得し、ユーザ側端末装置の論理アドレスと、該ユーザ側端末装置が収容されている物理的な加入者回線に対する一意な識別子である回線ＩＤとを関連付けた第１の回線ＩＤデータベースを参照して、前記取得したユーザ端末論理アドレスに相当する回線ＩＤを検索する第１の検索ステップと、前記コンテクスト情報収集サーバ装置が、前記第１の回線認証サーバ装置から前記ユーザ側端末装置の回線ＩＤを取得するステップと、前記コンテクスト情報収集サーバ装置が、前記取得したコンテクスト情報とそれに対応する回線ＩＤを対にしたコンテクスト情報一覧を前記コンテクスト情報活用サーバ装置に提供するステップと、前記コンテクスト情報活用サーバ装置が、サービス提供者から提供されたサービスに関するメタデータ、前記第１の回線認証サーバ装置から取得した回線ＩＤ、前記コンテクスト情報収集サーバ装置から提供されたコンテクスト情報一覧に基づいて、各回線ＩＤに属するデバイスに提供するサービスを、所定の判断処理によって決定するステップと、前記コンテクスト情報活用サーバ装置が、ユーザ側端末装置からサービスの利用要求がなされたときに、前記決定されたサービスを利用するためのデータを前記ユーザ側端末装置に提供するステップとを備えたことを特徴としている。
【００１９】
また請求項６に記載のコンテクスト情報収集活用方法は、請求項５において、前記システムは、前記ネットワーク回線とは異なるネットワーク回線に接続されたＩＤ変換サーバ装置および第２の回線認証サーバ装置を備え、前記第２の回線認証サーバ装置が、前記ユーザ側端末装置から論理アドレスを取得し、ユーザ側端末装置の論理アドレスと、該ユーザ側端末装置が収容されている物理的な加入者回線に対する一意な識別子である回線ＩＤとを関連付けた第２の回線ＩＤデータベースを参照して、前記取得したユーザ端末論理アドレスに相当する回線ＩＤを検索する第２の検索ステップと、前記コンテクスト情報収集サーバ装置が、前記第２の回線認証サーバ装置から前記ユーザ側端末装置の回線ＩＤを取得するステップと、前記ＩＤ変換サーバ装置が、前記コンテクスト情報収集サーバ装置に取得された、前記第２の回線認証サーバ装置からの回線ＩＤを、前記コンテクスト情報活用サーバ装置が管理するネットワークの回線ＩＤに変換する第１の変換ステップと、前記ＩＤ変換サーバ装置が、前記コンテクスト情報活用サーバ装置に取得された、前記第２の回線認証サーバ装置からの回線ＩＤを、前記コンテクスト情報活用サーバ装置が管理するネットワークの回線ＩＤに変換する第２の変換ステップとを備えたことを特徴としている。
【００２０】
また請求項７に記載のコンテクスト情報収集活用方法は、請求項５又は６において、前記所定の判断処理によって決定するステップは、前記サービスに関するメタデータと前記コンテクスト情報一覧との関連度で決まる、回線ＩＤとサービスの関連性の高いサービスを選択する処理を行うことを特徴としている。
【００２１】
また請求項８に記載のコンテクスト情報収集活用方法は、請求項５ないし７のいずれか１項において、前記ＷＷＷサーバ装置が、無線によりアクセスを行うユーザ側端末装置の無線の回線ＩＤと有線によりアクセスを行うユーザ側端末装置の有線の回線ＩＤとを関連付けて記録手段に記録するステップを有していることを特徴としている。
【発明の効果】
【００２２】
（１）請求項１〜８に記載の発明によれば、サービス提供者は、ユーザにログインをさせることなくコンテクスト情報を収集することができ、より容易にマーケティングなどへの応用ができる。また、これまでは不可能であったデバイスやネットワークをまたいだコンテクスト情報の収集と活用ができるようになる。これによって、たとえば、パソコンはＩＳＰ経由でインターネットに接続されており、ＩＰＴＶは閉域網内に設置された配信サーバから番組を取得している状況を考えた際にも、パソコンによるＷＷＷの閲覧履歴に基づいて、ＩＰＴＶに表示されるＣＭを変化させるなどの連携が可能となる。
【００２３】
また、回線ＩＤデータベースを参照することにより、異なるネットワークが存在する場合でも、正当な回線ＩＤを取得することができる。
（２）請求項２、６に記載の発明によれば、携帯電話など、複数の事業者網にデバイスがまたがっている場合にもコンテクスト情報の収集と活用が実現でき、前記（１）と同様の連携が可能となる。
（３）請求項４、８に記載の発明によれば、有線によるアクセス回線のみならず携帯やモバイルＰＣなど無線によるアクセス回線であっても、端末固有のＩＤにより、アクセス方法の異なるデバイスを利用することができる。
【発明を実施するための最良の形態】
【００２４】
以下、図面を参照しながら本発明の実施の形態を説明するが、本発明は下記の実施形態例に限定されるものではない。
【００２５】
（実施例１）
図１は請求項１，３，４，５，７，８に係る発明のコンテクスト情報収集活用システムの実施形態例の全体構成を示している。
【００２６】
図１のシステムにおいて、サービス提供者は広告主であり、ユーザへのサービス提供はＣＭコンテンツの配信であるものとする。
【００２７】
１００は、ＣＭコンテンツとそのメタデータを提供する広告主であり、ＣＭコンテンツは予め何らかの方法により、広告主１００（のコンピュータ端末）からＣＭコンテンツ配信サーバ（アプリケーションサーバ）１０７に保存されている。
【００２８】
１０１は、ＷＷＷコンテンツ（ＷＷＷサイト）を管理するＷＷＷサーバ（本発明のＷＷＷサーバ装置）である。このＷＷＷサーバ１０１は広告主１００から提供されたＣＭコンテンツのメタデータに基づいて、そのメタデータに該当するＷＷＷコンテンツを選択し、該選択されたＷＷＷコンテンツを、ユーザＰＣ端末（ユーザ側端末装置）１０２からの閲覧要求時に提供するとともに、その閲覧履歴が該ユーザＰＣ端末１０２に残るようにコンテクスト情報を出力する。
【００２９】
１０３は、ユーザＰＣ端末１０２からアクセスを受けたときに、該ユーザＰＣ端末１０２に蓄積されたコンテクスト情報を取得するコンテクスト情報収集サーバ（本発明のコンテクスト情報収集サーバ装置）である。
【００３０】
このコンテクスト情報収集サーバ１０３は、前記取得したコンテクスト情報と、回線認証サーバ（本発明の第１の回線認証サーバ装置）１０４から取得したユーザＰＣ端末１０２の回線ＩＤとを対にしたコンテクスト情報一覧を管理する。
【００３１】
回線認証サーバ１０４は、同一回線に加入しているユーザＰＣ端末１０２およびユーザＩＰＴＶ端末１０５の論理アドレスと、それら端末１０２、１０５が収容されている物理的な加入者回線に対する一意な識別子である回線ＩＤとを関連付けた回線ＩＤデータベース（第１の回線ＩＤデータベース）を有している。
【００３２】
前記端末１０２，１０５から論理アドレスを取得した場合、前記回線ＩＤデータベースを参照することにより、該論理アドレスに相当する正当な回線ＩＤが検索され、コンテクスト情報収集サーバ１０３や後述するコンテクスト情報活用サーバ１０６に渡すことができる。
【００３３】
コンテクスト情報活用サーバ（本発明のコンテクスト情報活用サーバ装置）１０６は、広告主１００から提供されたＣＭコンテンツのメタデータ、前記取得した回線ＩＤおよびコンテクスト情報一覧に基づいて、各回線ＩＤに属するデバイスに提供するＣＭコンテンツを所定の判断処理によって決定する。
【００３４】
これら広告主１００（のコンピュータ端末）、ＷＷＷサーバ１０１、ユーザＰＣ端末１０２、コンテクスト情報収集サーバ１０３、回線認証サーバ１０４、ユーザＩＰＴＶ端末１０５、コンテクスト情報活用サーバ１０６およびＣＭコンテンツ配信サーバ１０７は、所定のネットワーク回線により接続されている。
【００３５】
次に図１のシステムの全体の動作を説明する。  
【００３６】
（ステップＳ１）  広告主１００からＣＭコンテンツのメタデータが提供される（例：当該ＣＭコンテンツと関連するキーワード、ＷＷＷページＵＲＬ、関連商品など）。
【００３７】
（ステップＳ２）  ＷＷＷサイトをユーザが利用する。その際に、購買・閲覧・検索などの履歴がＣｏｏｋｉｅとしてユーザＰＣ端末１０２に記録される（コンテクスト情報）。
【００３８】
（ステップＳ３）  特定のタイミングで、ＷＷＷサイトからコンテクスト情報収集サーバ１０３へユーザをリダイレクトするなどして、コンテクスト情報を収集する。
【００３９】
（ステップＳ４）  コンテクスト情報収集サーバ１０３がユーザＰＣ端末１０２の正当な回線ＩＤを、回線認証サーバ１０４からユーザＰＣ端末１０２を介して取得する。
【００４０】
（ステップＳ５）  コンテクスト情報収集サーバ１０３は、コンテクスト情報とそれに対応する回線ＩＤを対にして、コンテクスト情報一覧として、コンテクスト情報活用サーバ１０６へ提供する。
【００４１】
（ステップＳ６）  コンテクスト情報活用サーバ１０６は、コンテクスト情報一覧より各回線ＩＤに対して、そのＩＤを持つデバイスに提供するサービス内容（ＣＭコンテンツの種類）を、回線ＩＤに対応するコンテクスト情報に基づいて決定する。
【００４２】
（ステップＳ７）  ユーザＩＰＴＶ端末１０５よりＣＭコンテンツの要求がコンテクスト情報活用サーバ１０６に対して送信される．
（ステップＳ８）コンテクスト情報活用サーバ１０６は、ユーザＩＰＴＶ端末１０５の論理アドレスに基づいて、回線認証サーバ１０４よりユーザＩＰＴＶ端末１０５の回線ＩＤを取得する。
【００４３】
（ステップＳ９）  コンテクスト情報活用サーバ１０６は、前記決定したサービス内容に相当するＣＭコンテンツＵＲＬをユーザＩＰＴＶ端末１０５に送信して、ユーザＩＰＴＶ端末１０５からのＣＭコンテンツ要求を適切なＣＭコンテンツへリダイレクトする。
【００４４】
（ステップＳ１０）  ユーザＩＰＴＶ端末１０５は、コンテクスト情報活用サーバ１０６より取得したリダイレクト先のＣＭコンテンツ配信サーバ１０７へＣＭコンテンツを要求する。
【００４５】
尚、回線認証のシーケンスはいくつか存在しうる（ステップＳ４，Ｓ８の処理手順を変更しても良い）。
【００４６】
次にＷＷＷサーバ１０１の詳細を図２とともに説明する。図２において図１と同一部分は同一符号をもって示している。図２においてＡは、広告主１００から提供されるＣＭコンテンツ識別子およびＣＭコンテンツメタデータを示している。  ＣＭコンテンツ識別子は、事前に広告主１００からＣＭコンテンツ配信サーバ１０７へ何らかの方法により保存されているＣＭコンテンツを一意に識別する情報である。
例）動画ファイルＵＲＬ
ＣＭコンテンツメタデータは、例えばＷＷＷ検索キーワード、閲覧サイトＵＲＬ、閲覧サイト関連語（商品名、商品種別等）、購入商品名・種別など、広告に関連が深い情報である。
【００４７】
これらＣＭコンテンツ識別子およびＣＭコンテンツメタデータのテーブル例を表１に示す。
【００４８】
【表１】
2009266078.tif 000003
【００４９】
図２のＣは、ＷＷＷコンテンツの選択とＣｏｏｋｉｅの設定を示している。ＷＷＷコンテンツは例えばポータルサイト、検索サイト、ＥＣサイト等であり、Ｃｏｏｋｉｅ設定は、ＡのＣＭコンテンツメタデータに該当するＷＷＷページを閲覧した際にその履歴をユーザＰＣ端末１０２に記録するようにＣｏｏｋｉｅを設定する。
【００５０】
図２のＤは、ＷＷＷサーバ１０１から提供されるＷＷＷコンテンツおよびＣｏｏｋｉｅ（コンテクスト情報）を示している。例えばユーザＰＣ端末１０２が、ＷＷＷコンテンツｈｔｔｐ：／／ｗｗｗ．ｓｉｔｅ．ｃｏｍ／ｃａｒ／ｒｖ．ｈｔｍｌにアクセスした際のサーバ応答において、“ｈｉｓｔｏｒｙ”という名前のＣｏｏｋｉｅに、閲覧サイト関連語と閲覧回数の組を記録している。
（Ｄの例）
ＨＴＴＰ／１．１  ２００  ＯＫ
Ｄａｔｅ：Ｗｅｄ，０９  Ｊａｎ  ２００８  １４：０６：１９  ＧＭＴ
Ｃｏｎｔｅｎｔ−Ｔｙｐｅ：ｔｅｘｔ／ｈｔｍｌ；ｃｈａｒｓｅｔ＝ｓｈｉｆｔ＿ｊｉｓ
．．．
Ｓｅｔ−Ｃｏｏｋｉｅ：  ｈｉｓｔｏｒｙ＝ｃａｒ＆３｜ＲＶ＆１｜ｃｏｕｐｅ＆２．．．；ｐａｔｈ＝／ｃｏｌｌｅｃｔ；
＜ＨＴＭＬ＞
＜ＨＥＡＤ＞
＜ＴＩＴＬＥ＞ＲＶ新車情報＜／ＴＩＴＬＥ＞
．．．
図２においてＷＷＷサイト（ＷＷＷサーバ１０１）では、広告主１００から提供されるＣＭコンテンツメタデータに基づき、そのメタデータに該当するＷＷＷコンテンツを、自サイト若しくは自サイトのＷＷＷコンテンツの一部を表示する提携先サイトから選択する。
【００５１】
ＷＷＷサーバ１０１は、ユーザＰＣ端末１０２からの要求に基づき、その選択されたＷＷＷコンテンツを提供する際に、その閲覧履歴がユーザＰＣ端末１０２に残るようにＣｏｏｋｉｅを出力する。閲覧履歴は、コンテンツそのものを指すものでも、より抽象化された関連語のような形（上記Ｄ参照）でも良い。
【００５２】
上記のＷＷＷコンテンツの選択は、図２に示すように人手によっても良いし、ＷＷＷコンテンツの自動解析技術等に基づく自動処理でも良い。
【００５３】
次にコンテクスト情報収集サーバ１０３の詳細を図３とともに説明する。図３において図１と同一部分は同一符号をもって示している。図３のＥは、ユーザＰＣ端末１０２から送信されるＣｏｏｋｉｅ（コンテクスト情報）を示している。すなわちユーザＰＣ端末１０２が、コンテクスト情報収集サーバ１０３が提供するＷＷＷコンテンツを要求する際に、Ｃｏｏｋｉｅを送信する。
【００５４】
例）ユーザＰＣ端末１０２が、コンテクスト情報収集サーバ１０３が提供するコンテンツｈｔｔｐ：／／ｗｗｗ．ｓｉｔｅ．ｃｏｍ／ｃｏｌｌｅｃｔにアクセスする際のＨＴＴＰリクエストヘッダ
ＧＥＴ／ｃｏｌｌｅｃｔ  ＨＴＴＰ／１．１
Ｈｏｓｔ：ｗｗｗ．ｓｉｔｅ．ｃｏｍ
．．．
Ｃｏｏｋｉｅ：ｈｉｓｔｏｒｙ＝ｃａｒ＆３｜ＲＶ＆１｜ｃｏｕｐｅ＆２．．．；
図３のＦは回線ＩＤを示している。
【００５５】
コンテクスト情報収集サーバ１０３は、前記情報Ｅを送信してきたユーザＰＣ端末１０２が収容されている物理的な加入者回線に対して一意な回線ＩＤを、回線認証サーバ１０４から直接、または、ユーザＰＣ端末１０２経由で回線認証サーバ１０４から取得する。
【００５６】
例）０ＡＢ〜Ｊ電話番号、加入者ＩＤ
図３のＧはコンテクスト情報収集サーバ１０３で管理される、回線ＩＤとコンテクスト情報を対にしたコンテクスト情報一覧であり、その一例を表２に示す。
【００５７】
【表２】
2009266078.tif 000004
【００５８】
図３において、コンテクスト情報収集サーバ１０３は、ユーザＰＣ端末１０２に対してＷＷＷサーバ１０１と同じドメイン名でＷＷＷサービスを提供する。ユーザＰＣ端末１０２は、ＷＷＷサーバ１０１からのＨＴＴＰリダイレクトやＨＴＭＬの埋め込み（ＥＭＢＥＤ、ＩＭＧタグなど利用）、または、ユーザ自身のリンク選択などの結果、コンテクスト情報収集サーバ１０３へアクセスする。その際、ＷＷＷサーバ１０１におけるＷＷＷコンテンツ利用により蓄積されたＣｏｏｋｉｅ（コンテクスト情報Ｅ）がコンテクスト情報収集サーバ１０３へ送信される。
【００５９】
その際、回線認証サーバ１０４、または、ユーザＰＣ端末１０２経由で回線認証サーバ１０４から当該ユーザＰＣ端末１０２の回線ＩＤを取得する（情報Ｆ）。
【００６０】
上記の回線ＩＤ（Ｆ）とコンテクスト情報Ｅを対にして、コンテクスト情報一覧Ｇを管理し、コンテクスト情報活用サーバ１０６に送る。
【００６１】
本実施例では、コンテクスト情報収集サーバ１０３は、ＷＷＷサーバ１０１と同一のドメイン名で運用するが、これはＣｏｏｋｉｅのメカニズムによる制約である。実装に関しては、パス名（ＵＲＬのドメイン以降の部分）によっていずれかのサーバへゲートウェイ装置により振り分ける方法、ユーザＰＣ端末１０２との直接の通信はＷＷＷサーバ１０１で行なってコンテクスト情報収集サーバ１０３はそのバックエンドとして動作する方法（例：サーブレット）、全く同一のサーバとして実装する方法、などが存在する。
【００６２】
次に回線認証サーバ１０４の詳細を図４とともに説明する。図４において図１、図３と同一部分は同一符号をもって示している。
【００６３】
尚、図４のコンテクスト情報収集／活用サーバ１、２は、コンテクスト情報収集サーバ１０３とコンテクスト情報活用サーバ１０６を同一サーバ上に構築していることを表している。
【００６４】
図４のＨは、ユーザ端末論理アドレス、例えばＩＰアドレス、セッションＩＤ（ＰＰＰ等）、ユーザＩＤ（ＰＰＰ等）などを示している。図４のＩは回線ＩＤ証明書であり、この証明書には回線ＩＤ（情報Ｆ）が記載されており、かつ、証明書自身が偽装・改ざん等されていない正当なものであることをコンテクスト情報収集／活用サーバが検証するための情報が記載されている。
【００６５】
例）Ｘ．５０９証明書
図４のＪは回線ＩＤデータベース、すなわち論理アドレスＨと回線ＩＤ（情報Ｆ）を関連付けるデータベースである。
【００６６】
回線認証サーバ１０４の動作は主に二通り考えられる。  
【００６７】
まず図４のユーザ端末１の回線ＩＤをコンテクスト情報収集／活用サーバ１が取得する場合は、途中にＩＳＰ等の別のネットワークが存在しており、ユーザ端末の論理アドレスＨが途中で変更されている可能性がある。その場合、コンテクスト情報収集／活用サーバ１は、ＨＴＴＰリダイレクトなどの方法でユーザ端末１を回線認証サーバ１０４へアクセスさせる。回線認証サーバ１０４はユーザ端末１から論理アドレスＨを取得し、それに相当する回線ＩＤをデータベースＪから検索し、回線ＩＤ証明書Ｉを作成し、ユーザ端末１を介してコンテクスト情報収集／活用サーバ１へ渡す（ＨＴＴＰリクエスト引数、ＨＴＴＰ  ＰＯＳＴなどの方法が考えられる）か、コンテクスト情報収集／活用サーバ１へ直接渡す。
【００６８】
一方、図４のユーザ端末２とコンテクスト情報収集／活用サーバ２の場合、コンテクスト情報収集／活用サーバ２がユーザ端末２の論理アドレスＨを取得し、それを回線認証サーバ１０４へ送り、対応する回線ＩＤをデータベースＪから検索し、回線ＩＤ情報Ｆとして受信する。
【００６９】
次にコンテクスト情報活用サーバ１０６の詳細を図５とともに説明する。図５において図１〜図４と同一部分は同一符号をもって示している。
【００７０】
図５のＫはＣＭコンテンツＵＲＬを示している。コンテクスト情報活用サーバ１０６は、広告主１００から提供されるＣＭコンテンツ識別子とそれに対応するメタデータ（Ａ）を、コンテクスト情報収集サーバ１０３から提供されるコンテクスト情報Ｇと所与のルールに則って照合する。
【００７１】
たとえば、Ａ（前記表１）に示すように、各ＣＭコンテンツに対してメタデータとして関連キーワードとその関連度が定義されているとし、Ｇ（前記表２）に示すように、各回線ＩＤに対して閲覧したＷＷＷコンテンツ内のキーワードとその閲覧回数が定義されており、ＡとＧの関連度と閲覧回数の積の総和で当該回線ＩＤとＣＭコンテンツの関連性を記述するとすると、回線ＩＤ“０３−１２３４−５６７８”とＣＭコンテンツ“Ｃａｒ＿ｒｖ．ｗｍｖ”との関連性は８、“０３−９８７６−５４３２”との関連性は２となる。したがって、このＣＭコンテンツは、“０３−１２３４−５６７８”の回線ＩＤを持つ加入者宅で放映した方が効率が良いと判断できる。
【００７２】
また、別のＣＭコンテンツ“Ｃａｒ＿ｏｔｈｅｒ．ｗｍｖ”と“０３−１２３４−５６７８”の関連性が同様の計算の結果、１０と判定された場合、ＣＭコンテンツの放映時間枠が１つ分しかない場合は、“０３−１２３４−５６７８”の加入者宅においては、後者の“Ｃａｒ＿ｏｔｈｅｒ．ｗｍｖ”を放映した方が、よりユーザの志向に合致していると判断でき、こちらのＣＭコンテンツを選択することとなる。
【００７３】
このようにして回線ＩＤごとにＣＭコンテンツを選択することができる。
【００７４】
ユーザＩＰＴＶ端末１０５がコンテクスト情報活用サーバ１０６へＣＭコンテンツの要求をしてきた際に、コンテクスト情報活用サーバ１０６は、回線認証サーバ１０４から当該ＩＰＴＶ端末１０５の論理アドレスを元に回線ＩＤ（Ｆ）を取得し、その回線ＩＤをもとに先の要領でＣＭコンテンツを選択し、そのＣＭコンテンツを取得するためのＵＲＬ（Ｋ）をユーザＩＰＴＶ端末１０５に返信する。ユーザＩＰＴＶ端末１０５がそのＵＲＬへアクセスすることで、適切なＣＭが放映される。
【００７５】
なお、コンテクスト情報収集サーバ１０３と同じく、アプリケーションサーバ（ここではＣＭコンテンツ配信サーバ１０７）と同一のサーバ上に構築することも考えられる。
【００７６】
上記のように図１〜図５の実施例によれば、回線ＩＤによって、異なるデバイス（ユーザＰＣ端末１０２、ユーザＩＰＴＶ端末１０５）を同一加入者宅に存在すると認識することにより、コンテクスト情報を共有することができる。
【００７７】
尚、図１〜図５では有線によるアクセス回線としていたが、携帯端末やモバイルＰＣなどの無線を利用したアクセス回線でも、端末固有のＩＤにより本発明を実現することができる。
【００７８】
すなわち無線のＩＤと有線のＩＤを関連づけてＷＷＷサイト（ＷＷＷサーバ１０１）側で記録しておく（記録手段を設ける）ことにより、アクセス方法の異なるデバイスを利用することが可能となる。
【００７９】
表３に固定の回線ＩＤ（有線の回線ＩＤ）と無線の回線ＩＤの対応例を示す。
【００８０】
【表３】
2009266078.tif 000005
【００８１】
無線の回線ＩＤとしては、携帯電話のように電話番号が割当てられているのであれば、電話番号でも良いし、無線ＬＡＮなどの無線技術を用いた端末であれば予め端末に設定されている固有のＩＤでもよい。
【００８２】
（実施例２）
図６は、請求項２、６に係る発明のコンテクスト情報収集活用システムの実施形態例の全体構成を示している。
【００８３】
図６のシステムにおい図１と同一部分は同一符号をもって示し、その説明は省略する。図６において１１０は、コンテクスト情報活用サーバ１０６が管理するネットワーク（自網）とは異なるネットワーク（他網、例えば携帯電話網）の回線ＩＤ（ユーザ携帯端末１１５が収容されている物理的な加入者回線に対する一意な識別子）を、同一のユーザが契約している、前記サーバ１０６が管理するネットワーク回線ＩＤに変換するＩＤ変換サーバ（本発明のＩＤ変換サーバ装置）である。
【００８４】
１１４は、前記他網に収容されたユーザ携帯端末の論理アドレスと、前記他網の回線ＩＤとを関連付けた回線ＩＤデータベース（第２の回線ＩＤデータベース）を有し、前記ユーザ携帯端末１１５から論理アドレスを取得し、前記回線ＩＤデータベースを参照して前記取得した論理アドレスに相当する回線ＩＤ（他網の回線ＩＤ）を検索する回線認証サーバ（本発明の第２の回線認証サーバ装置）である。
【００８５】
尚図６では、コンテクスト情報活用サーバ１０６において回線認証サーバ１１４からの他網の回線ＩＤを取り扱うように図示しているが、他網の回線ＩＤはコンテクスト情報収集サーバ１０３でも取り扱うものであり、それについては図示省略している。
【００８６】
次に図６のシステムの動作を説明する。コンテクスト情報活用サーバ１０６が管理するネットワークの回線ＩＤ（自網の回線ＩＤ）を取り扱う場合の動作は実施例１と同一であるので、ここでは前記と異なるネットワーク、すなわち他網の回線ＩＤを取り扱う場合の動作を説明する。  
【００８７】
（ステップＳ２１）  広告主１００からＣＭコンテンツのメタデータが提供される（例：当該ＣＭコンテンツと関連するキーワード、ＷＷＷページＵＲＬ、関連商品など）。
【００８８】
（ステップＳ２２）  ＷＷＷサイトをユーザが利用する。その際に、購買・閲覧・検索などの履歴がＣｏｏｋｉｅとしてユーザ携帯端末１１５に記録される（コンテクスト情報；図示省略）。
【００８９】
（ステップＳ２３）  特定のタイミングで、ＷＷＷサイトからコンテクスト情報収集サーバ１０３へユーザをリダイレクトするなどして、コンテクスト情報を収集する。
【００９０】
（ステップＳ２４）  コンテクスト情報収集サーバ１０３がユーザ携帯端末１１５の回線ＩＤ（他網の回線ＩＤ）を、回線認証サーバ１１４からユーザ携帯端末１１５を介して取得する（図示省略）。
【００９１】
（ステップＳ２５）  コンテクスト情報収集サーバ１０３が、前記取得した他網の回線ＩＤをＩＤ変換サーバ１１０へ問い合わせる（図示省略）。
【００９２】
（ステップＳ２６）  ＩＤ変換サーバ１１０は、前記他網の回線ＩＤを、ユーザ携帯端末１１５のユーザが契約している自網の回線ＩＤへ変換してコンテクスト情報収集サーバ１０３へ返却する（図示省略）。
【００９３】
（ステップＳ２７）  コンテクスト情報収集サーバ１０３は、前記収集したコンテクスト情報とそれに対応する回線ＩＤ（前記返却された自網の回線ＩＤ）を対にして、コンテクスト情報一覧として、コンテクスト情報活用サーバ１０６へ提供する。
【００９４】
（ステップＳ２８）  コンテクスト情報活用サーバ１０６は、コンテクスト情報一覧より各回線ＩＤに対して、そのＩＤを持つデバイスに提供するサービス内容（ＣＭコンテンツの種類）を、回線ＩＤに対応するコンテクスト情報に基づいて決定する。
【００９５】
（ステップＳ２９）  ユーザ携帯端末１１５よりＣＭコンテンツの要求がコンテクスト情報活用サーバ１０６に対して送信される．
（ステップＳ３０）コンテクスト情報活用サーバ１０６は、ユーザ携帯端末１１５の論理アドレスに基づいて、回線認証サーバ１１４よりユーザ携帯端末１１５の回線ＩＤ（他網の回線ＩＤ）を取得する。
【００９６】
（ステップ３１）  コンテクスト情報活用サーバ１０６が、前記取得した他網の回線ＩＤをＩＤ変換サーバ１１０へ問い合わせる。
【００９７】
（ステップＳ３２）  ＩＤ変換サーバ１１０は、前記他網の回線ＩＤを、ユーザ携帯端末１１５のユーザが契約している自網の回線ＩＤへ変換してコンテクスト情報活用サーバ１０６へ返却する。
【００９８】
（ステップＳ３３）  コンテクスト情報活用サーバ１０６は、前記決定したサービス内容に相当するＣＭコンテンツＵＲＬをユーザ携帯端末１１５に送信して、ユーザ携帯端末１１５からのＣＭコンテンツ要求を適切なＣＭコンテンツへリダイレクトする。
【００９９】
（ステップＳ３４）  ユーザ携帯端末１１５は、コンテクスト情報活用サーバ１０６より取得したリダイレクト先のＣＭコンテンツ配信サーバ（図示省略）へＣＭコンテンツを要求する。
【０１００】
上記のように本実施例２によれば、回線ＩＤを変換して複数の網でＩＤを流通させることができる。このため携帯電話など、他のネットワークに収容されていて、かつ、ユーザが同一であるデバイスも、コンテクスト情報収集活用の対象デバイスに含ませることができる。
【０１０１】
また、本発明のコンテクスト情報収集活用方法は、前記図１〜図６で述べた各処理を実行するものである。
【０１０２】
尚、本発明のサービス提供者は広告主に限らず、サービス内容はＣＭコンテンツの配信に限らず他のサービスにも適用することができる。
【０１０３】
上記のように本発明によれば、ＰＣやＩＰＴＶ、ゲーム機などのデバイスによりウェブサイト閲覧などネットワークサービスを利用した際のサービス利用履歴の情報を収集し、同一のユーザが再度サービスを利用した際に、収集した情報を利用してサービスを柔軟に提供することができるが、この本発明をＣＭ放送に適用した際のビジネスモデルを図７に示す。図７において図１と同一部分は同一符号をもって示している。
【０１０４】
図７において広告主１００は、ＣＭの実際の放送回数と、放送先ユーザのプロファイルやコンテクスト情報によって決まる放送単価に基づいて、ＣＭ広告料を支払う。
【０１０５】
ＷＷＷサイト運営者はアプリケーションサーバ（ＷＷＷサーバ１０１）およびコンテクスト情報収集サーバ１０３を管理し、広告主１００から、当該ＣＭに興味を持っている（＝関連するＷＷＷコンテンツを閲覧等した）ユーザを探してＣＭ放送の手配を行ったことに対して手数料収入を得る。
【０１０６】
ネットワーク事業者は回線認証サーバ１０４を管理し、ネットワーク・ネットワーク機能利用料収入を得る。
【０１０７】
ＩＰＴＶ事業者は、コンテクスト情報活用サーバ１０６およびＣＭコンテンツ配信サーバ１０７を管理し、ＷＷＷサイト運営者により送られてくるコンテクスト情報に基づいて、ＷＷＷコンテンツを利用したユーザ宅へＣＭを放送し、その広告料を、ユーザのプロファイルやコンテクスト情報（どれだけＣＭと関連が深いと予想されるユーザか）に基づいて決定し、広告主１００に請求する。
【０１０８】
ユーザ宅のＩＰＴＶ端末１０５は、各ＣＭの放映を完了したことをＩＰＴＶ事業者へ通知する。
【図面の簡単な説明】
【０１０９】
【図１】本発明の一実施形態例を示す全体構成図。
【図２】本発明の一実施形態例におけるＷＷＷサーバ装置の動作を示す説明図。
【図３】本発明の一実施形態例におけるコンテクスト情報収集サーバ装置の動作を示す説明図。
【図４】本発明の一実施形態例における回線認証サーバ装置の動作を示す説明図。
【図５】本発明の一実施形態例におけるコンテクスト情報活用サーバ装置の動作を示す説明図。
【図６】本発明の他の実施形態例を示す全体構成図。
【図７】本発明をＣＭ放送に適用した際のビジネスモデルを示す説明図。
【符号の説明】
【０１１０】
１００…広告主、１０１…ＷＷＷサーバ、１０２…ユーザＰＣ端末、１０３…コンテクスト情報収集サーバ、１０４，１１４…回線認証サーバ、１０５…ユーザＩＰＴＶ端末、１０６…コンテクスト情報活用サーバ、１０７…ＣＭコンテンツ配信サーバ、１１０…ＩＤ変換サーバ、１１５…ユーザ携帯端末、Ｊ…回線ＩＤデータベース。
【図１】
2009266078.tif 000006
【図２】
2009266078.tif 000007
【図３】
2009266078.tif 000008
【図４】
2009266078.tif 000009
【図５】
2009266078.tif 000010
【図６】
2009266078.tif 000011
【図７】
2009266078.tif 000012